(57)【要約】      （修正有）【課題】隣接し、連結された２つの電子基板の連結の解除を抑制することができる画像形成装置を提供する。【解決手段】画像形成装置において、駆動制御基板１２２を支持する駆動制御基板支持板１２１、ＦＡＸ基板１３４を支持するＦＡＸ基板支持板１３１、画像処理基板１５３を支持する画像処理基板支持板１５１、ＦＡＸ基板支持板１３１と隣接して配置され、連結される補強板１４０を有し、補強板１４０とＦＡＸ基板支持板１３１との連結部を装置本体の後方から覆うように配置され、画像処理基板支持板１５１は、連結部より一方側において補強板１４０に連結され、連結部より他方側においてＦＡＸ基板支持板１３１に連結される。【選択図】図１２
2020015204.tif 000002
【特許請求の範囲】
【請求項１】
第１の枠体と、
装置本体の前後方向と上下方向に直交する方向において、前記第１の枠体と対向して配置される第２の枠体と、
前記第１の枠体に連結され、装置本体の後方に実装面が向くように第１の電子基板を支持する第１支持部と、
前記直交する方向において前記第１支持部と隣接して配置され、装置本体の後方に実装面が向くように第２の電子基板を支持する第２支持部であって、前記第１支持部と前記第２の枠体にそれぞれ連結される第２支持部と、
前記第１の枠体に連結され、前記第１の基板の少なくても一部を装置本体の後方から覆う第１カバー部と、
前記直交する方向において前記第１カバー部と隣接して配置され、前記第２の電子基板の少なくても一部を装置本体の後方から覆う第２カバー部であって、前記第１カバー部と前記第２の枠体にそれぞれ連結される第２カバー部と、
第３の電子基板を支持する第３支持部であって、前記第１カバー部と前記第２カバー部との連結部を装置本体の後方から覆うように配置され、前記直交する方向において前記連結部よりも前記第１の枠体側の位置において前記第１カバー部に連結され、前記連結部よりも前記第２の枠体側の位置において前記第２カバー部に連結される第３支持部と、
を有することを特徴とする画像形成装置。
【請求項２】
前記第１支持部と前記第１カバー部は一体成形されていることを特徴とする請求項１に記載の画像形成装置。
【請求項３】
前記第２支持部と前記第２カバー部は一体成形されていることを特徴とする請求項１又は２に記載の画像形成装置。
【請求項４】
前記第１支持部及び前記第２支持部よりも装置本体の前方に配置され、前記第１の枠体と前記第２の枠体に連結された第３の枠体と、
装置本体の前後方向において前記第１支持部及び前記第２支持部と前記第３の枠体との間の位置に配置され、前記第３の枠体に連結され、画像を形成する画像形成部を駆動させる駆動ユニットと、
をさらに有することを特徴とする請求項１乃至３のいずれか１項に記載の画像形成装置。
【発明の詳細な説明】
【技術分野】
【０００１】
本発明は、電子写真複写機、電子写真プリンタ、インクジェットプリンタなどの画像形成装置に関する。
【背景技術】
【０００２】
画像形成装置は、画像形成部などを駆動させる駆動ユニットを制御する駆動制御基板や、画像データを処理する画像処理基板などの複数の電子基板を搭載する。このような電子基板は、装置本体の背面側にまとめて配置されることが多い。
【０００３】
ここで特許文献１では、第１の電子基板を保持する第１保持部と、第２の電子基板を保持する第２保持部とを装置本体の後方において隣接して配置し、両者をネジなどにより連結する構成が記載されている。
【先行技術文献】
【特許文献】
【０００４】
【特許文献１】特開２００６−１１３２７３号公報
【発明の概要】
【発明が解決しようとする課題】
【０００５】
しかし特許文献１に記載の構成のように、第１の電子基板を保持する第１保持部と第２の電子基板を保持する第２保持部とを隣接して配置し、両者を連結する構成では、両者の連結部の強度が弱く、外力がかかった際に連結が解除されやすい。
【０００６】
そこで本発明はこのような現状に鑑み、第１の電子基板を保持する第１保持部と第２の電子基板を保持する第２保持部とを隣接して配置し、両者を連結する構成において、両者の連結の解除を抑制することができる画像形成装置を提供することを目的とする。
【課題を解決するための手段】
【０００７】
上記目的を達成するための本発明に係る画像形成装置の代表的な構成は、第１の枠体と、装置本体の前後方向と上下方向に直交する方向において、前記第１の枠体と対向して配置される第２の枠体と、前記第１の枠体に連結され、装置本体の後方に実装面が向くように第１の電子基板を支持する第１支持部と、前記直交する方向において前記第１支持部と隣接して配置され、装置本体の後方に実装面が向くように第２の電子基板を支持する第２支持部であって、前記第１支持部と前記第２の枠体にそれぞれ連結される第２支持部と、前記第１の枠体に連結され、前記第１の基板の少なくても一部を装置本体の後方から覆う第１カバー部と、前記直交する方向において前記第１カバー部と隣接して配置され、前記第２の電子基板の少なくても一部を装置本体の後方から覆う第２カバー部であって、前記第１カバー部と前記第２の枠体にそれぞれ連結される第２カバー部と、第３の電子基板を支持する第３支持部であって、前記第１カバー部と前記第２カバー部との連結部を装置本体の後方から覆うように配置され、前記直交する方向において前記連結部よりも前記第１の枠体側の位置において前記第１カバー部に連結され、前記連結部よりも前記第２の枠体側の位置において前記第２カバー部に連結される第３支持部と、を有することを特徴とする。
【発明の効果】
【０００８】
本発明によれば、第１の電子基板を保持する第１保持部と第２の電子基板を保持する第２保持部とを隣接して配置し、両者を連結する画像形成装置において、両者の連結の解除を抑制することができる。
【図面の簡単な説明】
【０００９】
【図１】画像形成装置の断面概略図である。
【図２】画像形成装置を背面側から見た斜視概略図である。
【図３】画像形成装置を背面側から見た斜視概略図である。
【図４】画像形成装置を背面側から見た斜視概略図である。
【図５】駆動制御基板ユニットの斜視図である。
【図６】駆動制御基板ユニットの分解斜視図である。
【図７】ＦＡＸ基板ユニットの斜視図である。
【図８】ＦＡＸ基板ユニットの分解斜視図である。
【図９】ＦＡＸ基板ユニットの断面図である。
【図１０】補強板の斜視図である。
【図１１】画像処理基板ユニットの斜視図である。
【図１２】画像形成装置の模式断面図である。
【発明を実施するための形態】
【００１０】
（第１実施形態）
＜画像形成装置＞
以下、本発明の第１実施形態に係る画像形成装置の全体構成を画像形成時の動作とともに図面を参照しながら説明する。なお、以下に記載されている構成部品の寸法、材質、形状、その相対配置などは、特に特定的な記載がない限りは、この発明の範囲をそれらのみに限定する趣旨のものではない。
【００１１】
本実施形態に係る画像形成装置は、イエローＹ、マゼンダＭ、シアンＣ、ブラックＫの４色のトナーを中間転写ベルトに転写した後、シートに画像を転写して画像を形成する電子写真方式の画像形成装置である。なお、以下の説明において、上記各色のトナーを使用する部材には添え字としてＹ、Ｍ、Ｃ、Ｋを付するものの、各部材の構成や動作は使用するトナーの色が異なることを除いて実質的に同じであるため、区別を要する場合以外は添え字を適宜省略する。
【００１２】
図１は画像形成装置Ａ全体の断面概略図である。図１に示す様に、画像形成装置Ａは、シートにトナー像を転写して画像を形成する画像形成部と、画像形成部に向けてシートを供給するシート給送部と、シートにトナー像を定着させる定着部を備える。
【００１３】
画像形成部は、プロセスカートリッジ１（１Ｙ、１Ｍ、１Ｃ、１Ｋ）、一次転写ローラ５（５Ｙ、５Ｍ、５Ｃ、５Ｋ）、レーザスキャナユニット７、中間転写ユニット９１等を有する。
【００１４】
それぞれのプロセスカートリッジ１は、感光体ドラム２（２Ｙ、２Ｍ、２Ｃ、２Ｋ）、感光体ドラム２表面を帯電させる帯電ローラ３（３Ｙ、３Ｍ、３Ｃ、３Ｋ）、現像装置４（４Ｙ、４Ｍ、４Ｃ、４Ｋ）を備える。プロセスカートリッジ１は、装置本体の枠体である後側板１０１（図２）に着脱可能に構成されている。
【００１５】
中間転写ユニット９１は、中間転写ベルト８、二次転写ローラ１２、二次転写対向ローラ１０、テンションローラ１１を備える。中間転写ベルト８は、二次転写対向ローラ１０が駆動源の駆動力により回転し、その回転に従動して周回移動する。
【００１６】
次に、画像形成動作について説明する。まず不図示の制御部が画像形成ジョブ信号を受信すると、給送ローラ１４によってシート積載部１７に積載収納されたシートＳが、二次転写ローラ１２と二次転写対向ローラ１０から形成される二次転写部に送り込まれる。
【００１７】
一方、画像形成部においては、まず帯電ローラ３により感光体ドラム２表面が一様に帯電させられる。その後、不図示の外部機器等から送信された画像データに応じてレーザスキャナユニット７が各色の感光体ドラム２表面に不図示の光源からレーザ光束を照射し、感光体ドラム２表面に静電潜像を形成する。
【００１８】
その後、現像装置４により感光体ドラム２表面に形成された静電潜像に各色のトナーを付着させ、感光体ドラム２表面にトナー像を形成する。感光体ドラム２表面に形成されたトナー像は、一次転写ローラ５に一次転写バイアスが印加されることで、中間転写ベルト８にそれぞれ一次転写される。これにより中間転写ベルト８表面にフルカラーのトナー像が形成される。
【００１９】
その後、中間転写ベルト８が周回移動することでトナー像が二次転写部に送られる。そして二次転写部において二次転写ローラ１２に二次転写バイアスが印加されることで、中間転写ベルト８上のトナー像がシートＳに転写される。
【００２０】
次に、トナー像が転写されたシートＳは、定着装置２０において加熱、加圧処理が施され、これによりシートＳ上のトナー像がシートＳに定着される。その後、トナー像が定着されたシートＳは、排出ローラ２２によって排出部９０に排出される。
【００２１】
＜制御基板＞
次に、画像形成装置Ａの各部を制御する制御基板について説明する。
【００２２】
図２、図３、図４は、画像形成装置Ａを背面側から見た斜視概略図である。ここで図２〜図４は、後述する制御基板を順に組み付けた図となっている。なお、図２〜図４においては、説明の便宜上、外装カバーやプロセスカートリッジ１等の部材を適宜省略している。
【００２３】
図２に示す様に、画像形成装置Ａは、枠体として後側板１０１（第３の枠体）、右側板１０２（第１の枠体）、左側板１０３（第２の枠体）、右側板１０２や左側板１０３等によって後側板１０１と連結する前側板１０４などを有する。左側板１０３は、画像形成装置Ａ本体の前後方向（矢印Ｙ方向）と上下方向（矢印Ｚ方向）に直交する方向（矢印Ｘ方向）において、右側板１０２に対向して配置されている。後側板１０１は、画像形成装置Ａ本体の後方（背面側）の枠体であり、右側板１０２と左側板１０３に溶接又はビスによって連結されている。また、前側板１０４は、画像形成装置Ａ本体の前方（正面側）に位置する枠体である。本実施形態において、画像形成装置Ａ本体の正面とは、ユーザによって操作される不図示の操作パネルが位置する側面であり、ユーザが画像形成装置Ａを操作する際に立つ位置である。また、本実施形態における右側及び左側は、それぞれ画像形成装置Ａを正面から見た時の右側及び左側を示している。
【００２４】
後側板１０１には、プロセスカートリッジ１や中間転写ユニット９１を駆動させる駆動ユニット１１０が連結固定されている。駆動ユニット１１０は、後側板１０１における画像形成装置Ａ本体の後方（背面側）に連結され、プロセスカートリッジ１や中間転写ユニット９１は、後側板１０１における画像形成装置Ａ本体の前方（正面側）で後側板１０１と前側板１０４とによって支持される。駆動ユニット１１０は、４つのモータ１１１（１１１ａ〜１１１ｄ）や不図示のギア列などを有し、これらによってプロセスカートリッジ１や中間転写ユニット９１を駆動させる。
【００２５】
図３に示すように、画像形成装置Ａ本体の背面側において、駆動ユニット１１０よりも背面側には、駆動ユニット１１０や不図示のファンを制御する駆動制御基板ユニット１２０や、ＦＡＸ通信を行うためのＦＡＸ基板ユニット１３０が配置される。ここで、駆動制御基板ユニット１２０は、後述する駆動制御基板１２２と、駆動制御基板１２２の一部を後方から覆うように右側板１０２にビス等の固定具によって連結固定される補強板１４０（第１カバー部）とからなっている。また、ＦＡＸ基板ユニット１３０は、左側板１０３（図２）と駆動制御基板ユニット１２０の補強板１４０とにビス等の固定具によって連結固定される。補強板１４０とＦＡＸ基板ユニット１３０との連結構成については、図１２を用いて後述する。
【００２６】
図４に示すように、画像形成装置Ａの背面側において、駆動制御基板ユニット１２０とＦＡＸ基板ユニット１３０とのさらに背面側に、画像処理基板ユニット１５０が配置される。画像処理基板ユニット１５は、補強板１４０と後述するＦＡＸ基板支持板１３１に、ビス等によって連結固定される。ここで、画像処理基板ユニット１５０は、ＵＳＢメモリー等の記録媒体内の画像処理や、ワードやＰＤＦ等の画像処理や、パーソナルコンピュータ等の外部機器との通信処理を行う。尚、駆動制御基板ユニット１２０、ＦＡＸ基板ユニット１３０、画像処理基板ユニット１５０の詳細な構成については後述する。
【００２７】
図５は、駆動制御基板ユニット１２０の斜視図であり、図６は、図５の分解斜視図である。図５、図６に示す様に、駆動制御基板ユニット１２０は、駆動ユニット１１０を制御するための電子部品や回路を実装する駆動制御基板１２２（第１の電子基板）と、駆動制御基板１２２を支持する駆動制御基板支持板１２１（第１支持部）から構成される。
【００２８】
駆動制御基板支持板１２１には、ビス穴１２１ａ、１２１ｂが設けられ、駆動制御基板１２２には、ビス穴１２２ａ、１２２ｂが設けられている。駆動制御基板１２２は、ビス穴１２１ａ、１２２ａに不図示のビスが挿通されることで、駆動制御基板支持板１２１に連結される。また駆動制御基板支持板１２１は、駆動制御基板支持板１２１のビス穴１２１ｂと右側板１０２のビス穴（不図示）にビス５２（図１２）が挿通されることで、駆動制御基板１２２の電子部品が実装される実装面が画像形成装置Ａの背面側（後方）に向くように（実装面と反対側の面が後側板１０１に対向するように）右側板１０２に連結される。
【００２９】
図７は、ＦＡＸ基板ユニット１３０の斜視図であり、図８は、図７の分解斜視図である。図９は、図７に示すＫ２−Ｋ２断面で切断したＦＡＸ基板ユニット１３０の断面図である。図７〜図９に示す様に、ＦＡＸ基板ユニット１３０は、ＦＡＸ基板サブユニット１３２と、ＦＡＸ基板サブユニット１３２を保持するＦＡＸ基板支持板１３１（第２支持部、第２カバー部）から構成される。
【００３０】
ＦＡＸ基板サブユニット１３２は、ＦＡＸ通信を行うための各種の電子部品を実装する第２の電子基板としての４つのＦＡＸ基板１３４（１３４ａ〜１３４ｄ）と、４つのＦＡＸ基板１３４を一体的に保持するＦＡＸ基板保持部材１３３を備える。ＦＡＸ基板１３４ｃは不図示のモジュラージャックを備え、ＦＡＸ基板１３４ａとともにＦＡＸ通信を制御する。同様に、ＦＡＸ基板１３４ｄは不図示のモジュラージャックを備え、ＦＡＸ基板１３４ｂとともにＦＡＸ通信を制御する。つまり画像形成装置Ａは、本実施形態では２つのＦＡＸ回線を有する。
【００３１】
またＦＡＸ基板保持部材１３３には、２つのガイド突起１３３ａ、１３３ｂが形成されている。またＦＡＸ基板支持板１３１の側面には、２つのガイド溝１３１ａ、１３１ｂが形成されている。ＦＡＸ基板保持部材１３３は、ＦＡＸ基板支持板１３１のガイド溝１３１ａ、１３１ｂにガイド突起１３３ａ、１３３ｂを係合させながら矢印Ｘ方向にスライドさせて挿入されることで、ＦＡＸ基板支持板１３１に嵌合される。これによりＦＡＸ基板サブユニット１３２は、ＦＡＸ基板支持板１３１に支持される。またＦＡＸ基板支持板１３１は、ＦＡＸ基板１３４ａの一部を画像形成装置Ａ本体の後方から覆っている。
【００３２】
またＦＡＸ基板支持板１３１には、ビス穴１３１ｃ〜１３１ｆが設けられている。ＦＡＸ基板支持板１３１のビス穴１３１ｄと左側板１０３のビス穴（不図示）にビス５４（図１２）が挿通されることで、ＦＡＸ基板支持板１３１はＦＡＸ基板１３４の実装面が画像形成装置Ａの後方に向くように左側板１０３に連結される。またＦＡＸ基板支持板１３１と駆動制御基板支持板１２１は隣接して配置され、両者のビス穴１３１ｃ、ビス穴１２１ｂにビス５１（図１２）が挿通されることで、ＦＡＸ基板支持板１３１と駆動制御基板支持板１２１が連結される。これにより、駆動制御基板ユニット１２０とＦＡＸ基板ユニット１３０とが連結固定される。
【００３３】
図１０は、補強板１４０の斜視図である。図１０に示す様に、補強板１４０には、ビス穴１４０ａ、１４０ｂが設けられている。補強板１４０のビス穴１４０ａと右側板１０２のビス穴（不図示）にビス５２（図１２）が挿通されることで、補強板１４０は右側板１０２に連結される。さらに補強板１４０は、ＦＡＸ基板支持板１３１と隣接して配置され、補強板１４０のビス穴１４０ｂとＦＡＸ基板支持板１３１のビス穴１３１ｅにビス５３（図１２）が挿通されることで補強板１４０とＦＡＸ基板支持板１３１とが連結される。
【００３４】
図１１は、画像処理基板ユニット１５０の斜視図である。図１１に示す様に、画像処理基板ユニット１５０は、開口を有する箱型形状の画像処理基板支持板１５１（第３支持部）と、画像処理基板支持板１５１の開口を覆う画像処理基板カバー１５２を備える。また画像処理基板支持板１５１は、画像処理基板カバー１５２の内側において第３の電子基板としての画像処理基板１５３（図１２）を支持している。
【００３５】
画像処理基板支持板１５１には、ビス穴１５１ａが設けられている。画像処理基板支持板１５１のビス穴１５１ａとＦＡＸ基板支持板１３１のビス穴１３１ｆにビス５６（図１２）が挿通されることで、画像処理基板支持板１５１とＦＡＸ基板支持板１３１が連結される。また画像処理基板支持板１５１の不図示のビス穴と補強板１４１の不図示のビス穴にビス５５（図１２）が挿通されることで、画像処理基板支持板１５１と補強板１４１が連結される。
【００３６】
なお、画像処理基板支持板１５１の開口は画像処理基板カバー１５２により覆われており、画像処理基板１５３が覆われる面積は、駆動制御基板やＦＡＸ基板ユニット１３０と比較して多い。このように画像処理基板１５３を覆う面積を多くすることで、画像処理基板１５３から発生するノイズの影響を抑制することができる。
【００３７】
また画像処理基板支持板１５１は、画像処理基板カバー１５２により箱型形状となっている。同様に、駆動制御基板支持板１２１は補強板１４０により箱型形状となっている。このように基板を支持する支持部を箱型形状とすることで支持部の剛性を高めることができる。
【００３８】
＜基板支持板の組み付け構成＞
次に、３つの基板を支持する駆動制御基板支持板１２１、ＦＡＸ基板支持板１３１、画像処理基板支持板１５１の３つの基板支持板の組み付け構成について説明する。
【００３９】
図１２は、３つの基板支持板の組み付け構成を説明するための、図４に示すＫ１−Ｋ１断面で切断した画像形成装置Ａの模式断面図である。図１２に示す様に、駆動制御基板支持板１２１は、ビス５２により右側板１０２に連結されている。またＦａｘ基板支持板１３１は、駆動制御基板支持板１２１と隣接して配置され、ビス５１により駆動制御基板支持板１２１に連結され、ビス５４により左側板１０３に連結されている。さらに補強板１４０は、画像形成装置Ａ本体の後方から駆動制御基板１２２の一部を覆い、ビス５２により右側板１０２に連結され、ビス５３によりＦＡＸ基板支持板１３１に連結される。
【００４０】
なお、後側板１０１は、駆動制御基板支持板１２１及びＦａｘ基板支持板１３１よりも前方に配置されている。また駆動ユニット１１０は、画像形成装置Ａ本体の前後方向（矢印Ｙ方向）において後側板１０１と駆動制御基板支持板１２１及びＦａｘ基板支持板１３１との間の位置に配置されている。つまり、駆動ユニット１１０を間に配して、画像形成装置Ａの支持枠体には駆動制御基板ユニット１２０、ＦＡＸ基板ユニット１３０及び画像処理基板ユニット１５０が各基板の板厚方向に積層配置されている。
【００４１】
ここで、画像形成装置Ａの後側板１０１と、駆動制御基板ユニット１２０やＦＡＸ基板ユニット１３０との間には駆動ユニット１１０が配置されている。従って、駆動制御基板ユニット１２０とＦＡＸ基板ユニット１３０との連結部近傍の位置では後側板１０１との固定ができない構成になっている。従って、従来のように、２つの基板ユニット同士を連結固定する場合、画像形成装置Ａの前後方向（矢印Ｙ方向）に対する外力が加わった際に、連結部に外力が加わりやすくなり、基板ユニット同士の連結が解除される恐れがある。つまり、ビス５１により連結されたＦＡＸ基板支持板１３１と駆動制御基板支持板１２１との連結部は画像形成装置Ａ本体の前後方向（矢印Ｙ方向）、つまり３つの基板の板厚方向の外力に弱い。同様に、ビス５３により連結されたＦＡＸ基板支持板１３１と補強板１４０との連結部は画像形成装置Ａ本体の前後方向（矢印Ｙ方向）の外力に弱い。尚、このような画像形成装置Ａ本体の前後方向（矢印Ｙ方向）の外力は、例えば画像形成装置Ａを移動させる際などに加わる虞がある。
【００４２】
そこで、本実施形態では、ビス５１により連結されたＦＡＸ基板支持板１３１と駆動制御基板支持板１２１との連結部を補強板１４０又は画像処理基板支持板１５１によって画像形成装置Ａ本体の後方（背面側）から覆う。さらに、ビス５３により連結されたＦＡＸ基板支持板１３１と補強板１４０との連結部を画像処理基板支持板１５１によって画像形成装置Ａ本体の後方（背面側）から覆う。つまり、本実施形態では、駆動制御基板ユニット１２０とＦＡＸ基板ユニット１３０との連結部を覆うように、画像処理基板ユニット１５０を連結固定する構成とした。
【００４３】
また、本実施形態においては、画像処理基板支持板１５１を、ビス５３により連結された連結部に対して、装置本体の左右方向（矢印Ｘ方向）における右側板１０２側の位置において補強板１４０に連結し、左側板１０３側の位置においてＦＡＸ基板支持板１３１に連結する。
【００４４】
このような構成により、ＦＡＸ基板支持板１３１と駆動制御基板支持板１２１との連結部及びＦＡＸ基板支持板１３１と補強板１４０との連結部は、画像形成装置Ａ本体の後方から画像処理基板支持板１５１によって覆われる。従って、これらの連結部に画像形成装置Ａ本体の前後方向の外力が直接的にかかることが抑制され、連結が解除されることが抑制される。
【００４５】
またＦＡＸ基板支持板１３１、駆動制御基板支持板１２１、画像処理基板支持板１５１は一体的に固定され、且つ、ＦＡＸ基板支持板１３１と駆動制御基板支持板１２１は枠体である右側板１０２と左側板１０３に連結される。従って、３つの基板支持板のいずれかに外力がかかる場合でも、３つの基板支持板が一体的な剛性を持つとともに、その外力を右側板１０２、左側板１０３に逃がすことができる。
【００４６】
以上のように、本実施形態の構成によれば、駆動制御基板ユニット１２０とＦＡＸ基板ユニット１３０とを隣接して配置し、両者を連結する構成において、外力がかかった際に両者の連結が解除されることを抑制することができる。
【００４７】
なお、本実施形態では、駆動制御基板支持板１２１、ＦＡＸ基板支持板１３１、画像処理基板支持板１５１、補強板１４０、右側板１０２、左側板１０３をそれぞれビスにより連結する構成について説明した。しかし本発明はこれに限られず、これらをビス、リベット、溶接などの他の方法により連結する構成としても上記同様の効果を得ることができる。
【００４８】
なお、本実施形態では、駆動制御基板支持板１２１を右側板１０２に固定する構成を示したが、画像形成装置Ａの支持枠体に連結固定される構成であれば、他の部材に固定される構成であってもよい。例えば、後側板１０１に固定する構成や、後側板１０１や右側板１０２に別体で取り付けられる支持板金等に固定される構成であってもよい。
【００４９】
また、本実施形態では、ＦＡＸ基板支持板１３１を左側板１０３に固定する構成を示したが、画像形成装置Ａの支持枠体に連結される構成であれば、他の部材に固定される構成であってもよい。例えば、後側板１０１に固定する構成や、後側板１０１や左側板１０３に別体で取り付けられる支持板金等に固定される構成であってもよい。
【００５０】
また本実施形態では、ＦＡＸ基板１３４を画像形成装置Ａ本体の後方から覆い、画像処理基板支持板１５１と連結される部材をＦＡＸ基板支持板１３１と一体成形する構成を説明した。しかし本発明はこれに限られず、これらは別部材としてもよい。
【００５１】
また本実施形態では、駆動制御基板１２２を画像形成装置Ａ本体の後方から覆い、画像処理基板支持板１５１と連結される補強板１４０を駆動制御基板支持板１２１と別部材とする構成を説明した。しかし本発明はこれに限られず、これらは一体成形としてもよい。
【符号の説明】
【００５２】
１０１…後側板（第３の枠体）
１０２…右側板（第１の枠体）
１０３…左側板（第２の枠体）
１１０…駆動ユニット
１２１…駆動制御基板支持板（第１支持部）
１２２…駆動制御基板（第１の電子基板）
１３１…ＦＡＸ基板支持板（第２支持部、第２カバー部）
１３４…ＦＡＸ基板（第２の電子基板）
１４０…補強板（第１カバー部）
１５１…画像処理基板支持板（第３支持部）
１５３…画像処理基板（第３の電子基板）
Ａ…画像形成装置
Ｓ…シート
【図１】
2020015204.tif 000003
【図２】
2020015204.tif 000004
【図３】
2020015204.tif 000005
【図４】
2020015204.tif 000006
【図５】
2020015204.tif 000007
【図６】
2020015204.tif 000008
【図７】
2020015204.tif 000009
【図８】
2020015204.tif 000010
【図９】
2020015204.tif 000011
【図１０】
2020015204.tif 000012
【図１１】
2020015204.tif 000013
【図１２】
2020015204.tif 000014